Podtech/llm-jp-corpus-v4-ja_patent huggingface dataset:
(57)【要約】      （修正有）【課題】異なる波長の強度比から物理量を算出し、得られたレシオ画像をディスプレイに表示する多波長画像計測において、Ｓ／Ｎの高い領域と低い領域に対して、統計学的に意味のある画像処理が可能なディスプレイ装置を提供する。【解決手段】画像センサーによるレシオ画像計測において、その測定結果をディスプレイに表示する際、画素毎の測定値のＳ／Ｎ比の二乗和の平方根をＳ／Ｎ指標として定義し、これを媒介変数としてディスプレイ上での表示輝度に重みをかける事により、高Ｓ／Ｎ領域と低Ｓ／Ｎ領域を統計学的に意味のある定量的な判別を行い科学的に測定対象物の解析を可能とする。【選択図】図２
2015055622.tif 000002
【特許請求の範囲】
【請求項１】
レシオ画像をディスプレイ装置に疑似カラー表示する場合に、多波長画像検出器から異なる２つの波長の画像を取得し、波長毎のＳＮ比の二乗和の平方根を算出してこれをＳ／Ｎ指標として定義し、ディスプレイ装置での表示輝度値にＳ／Ｎ指標で重みを積算して表示する事により、単にコントラストを調整するのではなく、統計学的に意味のある定量的な計算に基づいて高Ｓ／Ｎ領域を強調してディスプレイ装置に表示する事を可能とする。
【発明の詳細な説明】
【技術分野】
【０００１】本発明は画像計測装置に関するものである
【背景技術】
【０００２】  リモートセンシングによる可視化技術は、古くは写真乾板を用いていた時代の天文学研究まで遡るが、ＣＣＤやＣＭＯＳなどのイメージセンサーが登場し、現在ではセンサーの高性能化や小型化が進み、その応用範囲は理工学分野に留まらず医学、農学、土木建築など多種多様な分野で発展を遂げている。【０００３】  一般に、二次元センサーを用いた画像計測によるリモートセンシングでは、紫外線からＸ線に及ぶ広い波長帯において、対象物の物理的な性質を反映する波長を選択し、その発光・反射・吸収・散乱などによる単波長のセンサーへの入射強度情報を用いる事でこれを可視化する方法と、異なる複数の波長におけるセンサーへの入射強度の関数によって物理情報を推定する方法に分けることができる。【０００４】  後者の分光学的なアプローチでは、天文学においては恒星の色と明るさを元にその温度と大きさを推定するＨＲ図による分類などが挙げられるが、現在では燃焼場の化学発光による診断、アーク溶接などの輝線観測を用いたプラズマ診断、材料分析においてはレーザー励起による励起光などの多波長観測による特定物質の可視化、医療分野でも同様にマーキングを行った特定物資の励起光観測による可視化、農業分野では葉緑素やヘモグロビンなどの吸収帯を利用した植生指数や農作物の鮮度の評価などにも応用され、異なる波長における強度比と測定対象の物理情報を関係付ける事で可視化を行う。【０００５】
【特許文献１】／出願番号：特願平３−３３５０８８／出願日：平成３年（１９９１）１２月１８日／公開番号：特開平５−１６４６８７／公開日：平成５年（１９９３）６月２９日／出願人：浜松ホトニクス株式会社／発明者：神谷  清、内山  茂、大石  英資、杉山  範和、水口  義則、平野  雅彦／発明の名称：レシオイメージング装置
【特許文献２】／出願番号：特願平９−５０６１１４／出願日：平成８年７月１８日／公開番号：国際特許公開ＷＯ９７／０４４１８／国際公開日：平成９年２月６日／出願人：モルフォメトリックス  テクノロジーズ  インク／発明者：ラズ，ライアン，エス／発明の名称：画像解析用の多スペクトル分割
【特許文献３】／出願番号：特願２００３−４６４２５／出願日：２００３年２月２４日／公開番号：特開２００４−２５７７６９／公開日：２００４年９月１６日／出願人：ＮＥＣ三栄株式会社  外１名／発明者：高橋  琢哉  外４名／発明の名称：多色赤外線撮像装置及び赤外エネルギーデータ処理方法
【特許文献４】／出願番号：特願２００４−２３９２２８／出願日：平成１６年８月１９日／公開番号：特開２００６−５８１０５／公開日：平成１８年３月２日／出願人：独立行政法人理化学研究所／発明者：宮脇  敦史、深野  天／発明の名称：レシオイメージング装置
【発明の開示】
【発明が解決しようとする課題】
【０００６】  二次元センサーを用いた画像計測において、異なる複数の波長におけるセンサーへの入射強度の関数によって物理情報を推定する方法の中で、除算２つの異なる波長の強度比を元にしたレシオイメージングを行う場合、除算の際に波長の信号・雑音比が相殺される事で、ディスプレイ装置にいいて雑音成分による強度比と信号成分による強度比の区別が付かなくなるという問題がある。【０００７】  これは除算によって得られた値が同じ１という値だとしても、除算の過程が１／１であったのか１００／１００であったのかによって、そこに含まれる情報に大きな違いがある事に例えることができる。【０００８】  このような値が混在した強度比で構成された画像情報を疑似カラーを用いてディスプレイ上に表示した場合、有意なデータ領域と雑音が作り出した無意味なデータ領域を区別する事は非常に困難となってしまう。【０００９】  また、無意味な雑音データと区別するために、単にディスプレイ装置のコントラストを調整する方法もあるが、その場合統計的に意味のあるデータ処理ではないために測定対象の物理的解析を行うためには問題が生じてしまう。
【課題を解決するための手段】
【００１０】  図１に記した手順により、画像センサーによるレシオ画像計測において、その測定結果をディスプレイに表示する際、画素毎の測定値のＳ／Ｎ比を媒介変数とした画像処理によって、高Ｓ／Ｎ領域と低Ｓ／Ｎ領域を明確に判別するため、ディスプレイ上の疑似カラー表示においてレシオ値を表示色（カラーディスプレイ装置におけるＲ、Ｇ、Ｂ、の３色の比率に基づく発光色）に、Ｓ／Ｎ指標を表示輝度（カラーディスプレイ装置における発光輝度）に関連づける事でこれらの識別を可能にする。【００１１】  複数の波長を検出可能な２次元画像センサーから得られた異なる２種類の波長における信号強度分布及び雑音分布情報を取得し、画素毎のＳ／Ｎ比を波長毎に算出する。波長毎に得られたＳ／Ｎ比の２乗和の平方根を重みＷ（＝Ｓ／Ｎ指標）として数式１のように定義する。ここで、Ｓ［１］及びＳ［２］はそれぞれの波長の信号強度、Ｎ［１］及びＮ［２］は雑音強度を表す。
【数１】
2015055622.tif 000003
【００１２】  ディスプレイにレシオ値を表示する疑似カラースケールの表示輝度に対して、算出・定義したＳ／Ｎ指標を重みとして掛け合わせる事で、ディスプレイ上で相対的に高Ｓ／Ｎ領域を強調して表示する事が可能となる。
【発明の効果】
【００１３】多波長画像計測において異なる波長の強度比から物理量を算出し、得られたレシオ画像をディスプレイ上に疑似カラー表示する場合、Ｓ／Ｎの高い領域と低い領域のディスプレイ上での区別は困難であり、興味ある測定領域の判別は極めて困難であったが、本発明によって、単にディスプレイ装置のコントラストを調整するのではなく、図２の様に画素毎のＳ／Ｎ比を用いて統計学的に意味のある定量的な方法を用いて興味ある領域を強調してディスプレイ上に表示する事が可能となる。
【図面の簡単な説明】
【図１】画像処理の手順
【図２】画像処理の効果
【図１】
2015055622.tif 000004
【図２】
2015055622.tif 000005
(57)【要約】      （修正有）【課題】経験の浅い乗務員、地理に詳しくない乗務員でも、短期期間に売上を上げられる流しのルートを案内する仕組みを提供する。【解決手段】数年に渡る乗車実績データ（乗車地点の緯度経度、月、日、時間、金額、下車地点の緯度経度）をデータベース化し、乗車地点を乗務員側のタブレットまたはスマートフォンの地図上に月別、曜日別、時間帯別に、金額ランクにより色分けされたマークで示す。多くのマークが重なった道路を、その時間帯に走行することにより、より多くのお客さんと遭遇する機会を得る。【選択図】なし【特許請求の範囲】
【請求項１】
お客さんの乗車実績データ（乗車地点の緯度経度、月、日、時間、金額、下車地点の緯度経度）をデータベース化し、乗車地点を乗務員側のタブレットまたはスマートフォンの地図上に月別、曜日別、時間帯別に、金額ランク別に色分けされたマークで示すことにより、より多くのお客さんを実車させたルートと地点を提示する仕組みを提供するシステム。
【請求項２】
スマートフォンやタブレットのＷＥＢＧＰＳ機能を利用して、現在地を中心とした設定圏内での、現在時間を中心とした設定時間幅でのお客さんの乗車実績データをタブレット及びスマートフォンの地図上で表示することで移動可能時間内での実績データの精度を上げる仕組みを提供するシステム。
【請求項３】
スマートフォンやタブレットのＷＥＢＧＰＳ機能を利用して、特定の移動距離、特定の移動時間に応じて、表示実績データを自動更新する仕組みを提供するシステム。
【発明の詳細な説明】
【技術分野】
【０００１】  本発明は、過去の顧客乗車実績データをスマートフォン、タブレットの地図上に月別、曜日別、時間帯別に表示し、効率のよい流しルートや地域を明示する仕組みを提供するシステムに関するものである。【０００２】  顧客乗車実績データには、乗車の日付、時間、乗車位置の緯度経度、下車位置の緯度経度、乗車料金が含まれており、地図上には、乗車位置に色で金額帯を示した旗を立てる形で乗車位置を示している。【０００３】スマートフォン、タブレットの地図を拡大することにより、道路の右側、左側で乗車実績データなのかを確認することができる。そのことで、その時間帯は、どちら向きにタクシーを走らせればいいのかが分かる。【０００４】本発明は、スマートフォン、タブレットのＷｅｂＧＰＳ機能を利用して、現在地を追尾でき、一定の距離を移動するか、一定の時間を経過すると自動的に現在地の中心に一定の地理的範囲内で、一定の時間帯の乗車実績データを地図上に表示することができる。【０００５】表示する乗車実績データの検索条件は自由に変えることができる。
【発明の概要】
【発明が解決しようとする課題】
【０００６】タクシー乗務員の売上構成は、駅待ち、配車、流し営業と大きく３つからなるのが一般的だが、売上比率は、駅待ち１０％、配車１０％、流し営業８０％と言われる。この８０％を占める流し営業には、経験とノウハウが要求される。何月の何曜日の何時頃は、この道をこの方向に走れば、お客さんが拾えるという知識をつけるには、実際に自分で時間をかけて経験するか、経験豊富なベテランに教わるしか方法がなかった。【０００７】この経験知がつくまでは、タクシー会社が給料補償をするなどして、売り上げが少ないのをカバーするなどの方策がとられている。【０００８】この経験知がなければ、無駄にお客のいない道路を走ることも多く、また、特定の地域にタクシーが溢れて社会問題にもなることがある。【０００９】そこで、本発明では、経験の浅いタクシー乗務員でも、以前の乗車実績データを知ることにより、より効率的な走行ルートの選択が可能となり、売上の向上に寄与できる。タクシー乗務員、タクシー会社にとって喜ばしいシステムを提供するものである。
【課題を解決するための手段】
【００１０】漁師が魚を捕えるために使う魚群探知機のように、過去の顧客乗車実績データをデータベース化し、過去の実績データを現在の条件と重ねて検索、地図上に表示することにより、魚群探知機と同じような効果を生むことができる。
【発明の効果】
【００１１】本発明になる乗車実績データ活用による効率的なタクシー流し営業支援システムは、タクシー乗務員、タクシー会社、更にタクシー利用者全てに大きな効果を発揮するとともに、社会環境の改善に一役買うことが考えられるものです。【００１２】タクシー乗務員にとっては、安易に売上を上げるために主要幹線道路を走る方法を取らざるを得ないが、曜日ごと、時間帯ごとのお客さんが見込めるルート、場所の知識をつけるにはそれ相当の時間と経験が必要とされる。
本発明により、そのような経験、知識がなくとも、その時、その場に応じたお客さんが見込めるルート、場所を自動的に提示されることで、よりお客さんとの遭遇の機会が増し、売上を伸ばすことが可能になる。【００１３】タクシー会社にとっては、新人タクシー乗務員に流し方の教育と実習を課し、平均以上の売り上げを上げる乗務員になるようにする時間と費用が必要であるが、その場に応じた適切な走行ルートの提示、場所の提示を本発明がすることにより、教育コストの削減につながる。【００１４】タクシー乗車希望者にとっては、タクシーに乗るために、必ずしも主要道路に出なくても、実績データを見たタクシー乗務員側から進んで乗車の可能性がある地点を走行してくれるようになり、乗車しやすくなる。【００１５】社会環境にとって、タクシーの空車走行の削減と、安易に駅や繁華街にできる長蛇の客待ちタクシーの列の削減により、ＣＯ２の排出削減、渋滞緩和に貢献できる。
【発明を実施するための形態】
【００１６】Ａｎｄｒｏｉｄ対応のスマートフォンやタブレットを端末機器として、インターネットでサーバーにアクセスすることでデータを取り込み、地図上に表示する。
【産業上の利用可能性】
【００１７】交通事故の発生事例を同様のデータベース化して、地図上に表示し、更に、その地点に近づいてくると音声で注意を促す仕組みに利用できます。
(57)【要約】【課題】  従来、天井ボードの開口及び穴あけ、天井照明器具等の清掃を行う場合、作業範囲をシート等で囲い、床には養生シート等を敷き行っていた、そして作業で発生した、ゴミくず等を拾い集めて袋に移し変えていた。その結果、室内にゴミ、埃等が飛散し、空気も室内も汚れる原因となっていて、作業環境も悪く、作業する人も服も汚れ片付けに手間が掛かっていた。  本発明は、以上の問題点を解決する為の手袋付きビニール袋を提供する。【解決の手段】  ビニール袋の開口部と有底部を除く矩形部分の両サイドに手袋を装着し、ビニール袋の内部は手袋に手を差込めるように、手袋とビニール袋の装着部分の内部は手袋の腕サイズに合った切り裂き開口部を形成した。以上の構成よりなる手袋付きビニール袋。【選択図】図４
2015089851.tif 000002
【特許請求の範囲】
【請求項１】
ビニール袋の開口部と有底部を除く矩形部の両サイドに手袋を装着し、ビニール袋の内部から手袋内に手を差込めるように、ビニール袋と手袋の装着部分内部は、手袋の腕サイズに合った切り裂き開口部を形成し、手袋を備えたことを特徴とする手袋付きビニール袋。
【請求項２】
ビニール袋と、ビニール手袋を、一体形成した請求項１に記載の手袋を備えたことを特徴とする手袋付きビニール袋。
【請求項３】
ビニール袋に、装着する手袋部分の部材に不織布を用いた請求項１に記載の手袋を備えたことを特徴とする手袋付きビニール袋。
【発明の詳細な説明】
【技術分野】
【０００１】  本発明は、ビニール袋の開口部、及び有底部を除く矩形部分の両サイドに、手袋を設け、ビニール袋と手袋が一体になった手袋付きビニール袋に関するものである。
【背景技術】
【０００２】  従来、ビニール袋は単にものを入れる袋であって、作業等で発生した、ゴミくず等を拾い集めてビニール袋に詰めていた。
【先行技術文献】
【０００３】
【特許文献１】  特開２００５−９５１１６号公報
【実用新案文献１】
実開３０７８９４２号公報
【発明の概要】
【発明が解決しようとする課題】
【０００４】  従来、天井ボードの開口、及び穴あけ、天井照明器具等の清掃を行う場合、作業範囲をシート等で囲い、床には養生シート等を敷き行っていた。
そして、作業で発生した、ゴミくず等を拾い集めて袋に移し変えていた。
その結果、室内にゴミ、埃等が飛散し、空気も室内も汚れる原因となっていて、作業環境も悪く、作業する人も服も汚れ片付けに手間が掛かっていた。
本発明は、以上の問題点を解決する為になされたものである。
【課題を解決するための手段】
【０００５】  ビニール袋の開口部と有底部を除く矩形部分の両サイドに手袋を装着し、ビニール袋の内部から手袋に手を差込めるように手袋とビニール袋の装着部分の内部は手袋の腕サイズに合った切り裂き開口部を形成した。
以上の構成よりなる手袋付きビニール袋。
【発明の効果】
【０００６】  従来、不可能とされていた、室内の天井開口作業でのゴミ、埃の発生、飛散を抑制し、無駄な作業工程を無くすることができ、本発明により作業時間の短縮も可能にし、天井ボード開口等の作業では作業員も服も空気の汚れも少なく、クリーンな環境で作業をすることができる。
本発明は、天井照明器具等の清掃にも使え、部分的な石綿等の有害物除去時の吸込み防止、汚れた物、小動物の死骸撤去、竹の子の皮むき等、多用途に使用できる手袋付きビニール袋（ゴミ袋）です。
【図面の簡単な説明】
【０００７】
【図１】  本発明の正面図
【図２】  本発明の袋部を表裏ひっくり返した説明図
【図３】  本発明の使用状態を示す斜視図
【図４】  本発明の使用状態を示す斜視図
【図５】  本発明の使用状態を示す斜視図
【図６】  本発明の使用状態を示す斜視図
【発明を実施するための形態】
【０００８】  以下、本発明の実施の形態を説明する。
（イ）ビニール袋本体（１）の開口部（２）と有底部（３）を除く両サイドの矩形部分（４）に手袋（５）の腕部周囲を融着、溶着、接着剤、もしくは両面テープ等で接着し、且つ手袋取付部分（６）はビニール袋内部より手袋（５）に手を差込めるようにビニール袋（１）と手袋（５）の取付部分（６）の内部は、ビニール袋内部より手袋（５）に手を差込めるように手袋とビニール袋の装着部分内部は手袋の腕サイズに合った切り裂き開口（７）を設ける。
（ロ）ビニール加工工場では樹脂シートを重ね融着等にてビニール袋（１）とビニール手袋を一体形成することも可能である。
（ハ）ビニール袋（１）に装着する手袋（５）部分を不織布等の部材にて作る事も可能である。
（ニ）ビニール袋（１）と矩形部分に装着の手袋（５）で一体となって構成されていることを特徴とする。
本発明は以上のような構造である。
本発明を使用する時は、ビニール袋の本体（１）部分を表裏ひっくり返し、金属線とか樹脂等で作った、円形や四角形のフレーム（８）にビニール袋の開口部分（２）の端部を粘着テープ等で取付けし、使用箇所に配置、使用者がビニール袋本体（１）と手袋接続部（６）より、ビニール袋本体（１）の内部にある手袋（５）に、矩形部（４）の外側にあたる切り裂き開口部（７）の内側をより手を嵌める。
フレーム（８）を持つ補助員がいない場合は、手袋付きビニール袋を取付けたフレーム（８）を、エアーリフターやリフト等に取付ければ、一人での使用も可能で、発生するゴミくず等が軽量で少ない場合は、フレーム（８）を片手で持っての一人作業もでき、ビニール袋の開口部分（２）の端部を粘着テープ等で直接天井に止めることもできます。
さらに、手袋（５）部分の部材に不織布等を用いて作った場合は、ビニール袋本体（１）の、開口部（２）をむすんで閉じた後に、不織布で、できた手袋（５）部分より、ビニール袋本体（１）の内部に閉じこめられた、ゴミ及び埃混じりの汚れた空気を、フイルター機能を持つ不織布（ろ材）で、できた手袋（５）を通過させることにより、塵埃は除去されきれいな空気にして、ビニール袋本体（１）内部より、外部に放出でき、ビニール袋本体（１）内部の体積を少なくすることができて、ゴミ袋が嵩張りません。
又、汚れた物や動物の死骸等を処理する場合は、ビニール袋の開口部（２）より手袋へと手を嵌め、汚れた物を掴み、ビニール袋の本体（１）部分を表裏ひっくり返しビニール袋に収納できます。
【符号の説明】
【０００９】１  ビニール袋本体、２  ビニール袋開口部、３  ビニール袋有底部、
４  矩形部、５  手袋、６  ビニール袋本体と手袋接続部、
７  ビニール袋本体と手袋接続部内部の切り裂き開口部、８  フレーム
【図１】
2015089851.tif 000003
【図２】
2015089851.tif 000004
【図３】
2015089851.tif 000005
【図４】
2015089851.tif 000006
【図５】
2015089851.tif 000007
【図６】
2015089851.tif 000008
(57)【要約】【課題】発毛効果の著しい植物エキスからなる、頭髪用剤を提供すること。【解決手段】天然の開花後のカキドオシと炭酸泉を含有加工のエキスが発毛効果に優れてる。【効果】頭部の薄毛、脱毛地肌に１日に朝、夕２回塗布する事により自然に毛髪が生え上がり著しい発毛効果が見られる。【選択図】図１
2015089888.tif 000002
【特許請求の範囲】
【請求項１】
開花後の天然カキドオシとアオサ海苔をエチルアルコール２５％で抽出し得たエキスに、炭酸泉を加えたことを特徴とするカキドオシを主原料とする頭髪用剤。
【発明の詳細な説明】
【技術分野】
【０００１】本発明は、天然カキドオシを主原料とする頭髪用剤に関する。
【背景技術】
【０００２】  古くから、（しそ科カキドオシ属）生薬名、連銭草、子供の癇をとることで癇取り草の生薬名も有る、これ等の生薬は開花期に採取し、日陰干しにし煎じて服用することで効果を得ている。本発明者は頭髪用剤としてカキドオシを原料とする技術を特許文献１と特許文献２で過去に提案した。特許文献１及び特許文献２に示されているカキドウシを原料とする頭髪用剤は十分な発毛効果を有するが、更に効果の高いものを得るため鋭意検討した結果、開花期後のカキドオシをエチルアルコール２５％に漬け込み醸成後エキスを抽出し、更に炭酸泉を加えることでより一層の発毛効果を有する事を見出し本発明に至ったのである。これらの技術は知られていない。
【先行技術文献】
【特許文献】
【０００３】
【特許文献１】  特開２００６−１０４１８７号
【特許文献２】  特開２０１２−１９３１３１号
【発明の概要】
【発明が解決しようとする課題】
【０００４】  本発明の課題は、脱毛し毛が失はれた頭皮に再び毛を甦させる天然植物のエキスに炭酸泉を含有し得た頭髪用剤を提供することである。
【課題を解決するための手段】
【０００５】  種々の薬草生薬について検討を重ねた結果、本発明に至った。本発明の原料となるカキドオシ（しそ科カキドオシ属）は古くから生薬、薬草として利用され開花期に採取し陰干しにして、煎じて飲むことで前記の生薬、薬草の効果を得ていた。本発明は天然の開花期後のカキドオシとアオサ海苔をエチルアルコール２５％で抽出したエキスに炭酸泉を加えることで著しい発毛効果を見出し完成するに至ったものである。
【発明の効果】
【０００６】  本発明の開花後の天然カキドオシ、アオサ海苔をエチルアルコール２５％で抽出したエキスに炭酸泉を加える頭髪用剤は、毛が失われた頭皮に塗布することで、再び毛を甦させる著しい発毛効果を有する。
【図面の簡単な説明】
【０００７】
【図１】  塗布開始後、  ２ケ月      ７９才  男性
【図２】  塗布開始後、  ４ケ月      ７４才  男性
【図３】  塗布開始後、  ５、５ケ月  ６５才  男性
【図４】  塗布開始後    ６ケ月      ６４才  男性
【発明を実施するための形態】
【０００８】  本発明のカキドオシとは天然物で（しそ科カキドオシ属）の植物であって別名癇取り草、連銭草とも呼ばれている。
【０００９】  本発明の開花後とは花が咲終わって花粉のないこと。主原料となるカキドオシの部位には特に制限がなく、葉、茎、根、も含まれる。
【０００１０】  抽出エキスとは、開花後の天然カキドオシとアオサ海苔をエチルアルコール２５％に漬け抽出したエキスに炭酸泉を加え含有加工し得た、もので（含有エキスと称する。）
【０００１１】  また、本発明の頭髪用剤は上記のエキスに加え必要に応じて、医薬品、医薬部外品、化粧品類などの製剤に使用される成分や添加剤を任意に選択し併用することが出来る
【実施例】
【０００１２】  以下に、製造例、試験例、を上げて説明するが、本発明はこれらに限定されるものではない。【０００１３】（含有エキスの製造例）
１）天然開花後のカキドオシ、全草を採取し水洗いする。
２）天然のカキドオシ１ｋｇを２ｃｍ前後に細かく刻み、（８ｌの容器）に入れる。
３）アオサ海苔乾燥物１５ｇを、水で解き水を切って容器に入れる。
４）レモン（国産品）１ケ、半割にし薄く切って容器に入れる。
５）容器に入れたカキドオシ他に、エチルアルコール２５％を、（容器に６．５ｌ）いれる。
６）２ケ月間漬け込み醸成し、抽出物をサラシ袋に入れて搾り取り、エキスを造る。
７）抽出したエキス３に、炭酸泉７を加え、３対７の割合で加工し得た物を、（含有エキスと称する。）
炭酸泉は、血行促進作用があり毛細血管から毛根細胞に促進を促す、
レモンは、カキドオシ薬草の臭えを抑える効果あり。
カキドオシの他に、ザクロ、オオバコ、口無し花、等を添加する事も可能である。【０００１４】（含有エキスの試験例）
含有エキスを朝晩の１日２回、頭髪部に塗布し、人における含有エキスの発毛、育毛の促進効果の試験を１０人の男性モニターで最長６ケ月間に渡って行った。
その結果８人に発毛効果が確認された。主な結果を図１〜図４に示した。
【図１】
2015089888.tif 000003
【図２】
2015089888.tif 000004
【図３】
2015089888.tif 000005
【図４】
2015089888.tif 000006
【手続補正書】
【提出日】平成27年2月16日(2015.2.16)
【手続補正１】
【補正対象書類名】特許請求の範囲
【補正対象項目名】請求項１
【補正方法】変更
【補正の内容】
【請求項１】
（カキドオシは天然物使用とする）
自生のカキドオシの花が咲き、花粉の落ちきった物を採取し水洗いする、水洗いされたカキドオシを２ｃｍ前後に切り刻み、刻んだカキドオシを容器に入れ、カキドオシ１０００重量部当たりアオサ海苔乾燥物１５重量部を加え、そしてカキドオシ１０００重量部当たりレモン一個を半割にし薄く切って加え、（工程１）
次にカキドオシ１０００重量部当たり６５００容量部の２５％エチルアルコールを加え、２月間漬け込む醸成工程と醸成されたものをサラシ袋にて搾り取り、固形物を除去しエキスを造る、（工程）
上記工程（１、２）で得られたエキス３容量部に対して７容量部の（炭酸泉はアルカリ性に変化したものを使用）添加混合する、炭酸泉混合工程とを順次行い得られることを特徴とするカキドオシを主原料とする、頭髪用剤。
(57)【要約】【課題】２０２０年決定の東京オリンピックに向け、観光日本の総仕上げに向かって温泉と言う日本古来の独自の文化を国際化する為、従来の温泉のあり方や、慣習を見直す事で世界中の人々が求めている「癒しやおもてなし」或いは、日本の先進医療、日本食、独自の文化までも取り込んで貰う為のワンステップと考える。【解決手段】１枚の腰布の加工により、何気ないスタイルの上品さと、清潔なイメージでリラックスする心と体の休息は、落ち着いた国、日本ならではのおもてなしでしょう。欧米各国を取り込み、裾野の広い観光産業の税収アップ、雇用の促進、景気の安定に必ず貢献する。【選択図】図１
2015089990.tif 000002
【特許請求の範囲】
【請求項１】
海外のサウナに見られる腰に専用タオル（日本式タオル）を着けて入浴する。
【発明の詳細な説明】
【発明の詳細な説明】
【発明の属する分野】
【０００１】東京オリンピック開催決定により、秀でた各種の日本文化の中で観光の目玉になると思われる温泉の国際化に向け、日本全国温泉地に年間数千万人のお客様を呼び込む為。
【背景技術】
【０００２】古来日本人の心身の文化として発展して来た裸入浴が原則のルールは、時代のグローバル化により、昨今は水着で入る外人もあり、古来の文化を現代風に統一する事を考える。
【発明が解決しょうとする課題】
【０００３】タオル（腰紐付き）を湯船に着用する事を認め、改良タオルで股を覆って他人にはばかる事なく、ゆったりと男女別も混浴も伸び伸び湯船に浸かる事が出来る。
【課題を解決する為の手段】
【０００４】従来のタオルより長めのタオルの両端に紐を取り付け腰に結び固定させる、お尻側から下がっている股充てを前部に通して局部が見えない様に装着する。
【発明実施の形態】
【０００５】タオルを腰に巻き、腰骨の所で紐を結んで、背面の股充てを前面タオル部の内側にあるマジックテープで止める。
【発明の効果】
【０００６】日本文化を良く理解しない外人にも納得出来る。
【図面の簡単な説明】
【図１】  本発明の全体図
【図２】  本発明の分解パーツ
【図３】  本発明の使用状態を示す図
【図１】
2015089990.tif 000003
【図２】
2015089990.tif 000004
【図３】
2015089990.tif 000005
(57)【要約】【課題】本発明は、貯留材を用いる大規模な貯留施設の築造技術の提供にある。 【解決手段】本発明は、地下に、貯留材を継手を用いて上下左右に接続して貯留材の集合体を形成して貯留空間とし、当該貯留空間をシートで包んだ貯留施設において、前記貯留材の集合体同士を接続することなく配置し、新たな貯留空間とし、前記新たな貯留空間を一体的にシートで包んだ貯留施設である。貯留材を大量に継手を用いて接続することで蓄積される歪を途中で遮断し、新たに貯留材の接続を開始することで歪の蓄積を防止した。【選択図】図1
2015089996.tif 000002
【特許請求の範囲】
【請求項１】
地下に、貯留材を継手を用いて上下左右に接続して貯留材の集合体を形成して貯留空間とし、当該貯留空間をシートで包んだ貯留施設において、前記貯留材の集合体同士を接続することなく配置し、新たな貯留空間とし、前記新たな貯留空間を一体的にシートで包んだ貯留施設。
【発明の詳細な説明】
【技術分野】
【０００１】
本発明は、貯留材を用いる大規模な貯留施設の築造技術に属する。
【背景技術】
【０００２】
地下にブロック状の貯留材を上下左右に配置し、貯留材相互間を必要に応じて継手で接続し、シートで包み、貯留空間とした貯留施設が普及している。（特開平９−１１２７９２、特開平１０−２５２１０８）
上記のような貯留材を大量に継手を用いて接続すると、地盤の状態により異なるが次第に歪が溜まり貯留材相互間の接続が困難となる。そのため大規模な貯留施設を築造することが困難となる。かかる問題点を解消する大規模槽の築造作業を容易とする技術が求められている。
【先行技術文献】
【特許文献】
【０００３】
【特許文献１】特開平９−１１２７９
【特許文献２】特開平１０−２５２１０８
【発明の開示】
【発明が解決しようとする課題】
【０００４】
本発明は、貯留材を用いる大規模な貯留施設の築造技術の提供にある。
【課題を解決するための手段】
【０００５】
本発明は、地下に、貯留材を継手を用いて上下左右に接続して貯留材の集合体を形成して貯留空間とし、当該貯留空間をシートで包んだ貯留施設において、前記貯留材の集合体同士を接続することなく配置し、新たな貯留空間とし、前記新たな貯留空間を一体的にシートで包んだ貯留施設である。
貯留材を大量に継手を用いて接続することで蓄積される歪を途中で遮断し、新たに貯留材の接続を開始することで歪の蓄積を防止した。
【発明の効果】
【０００６】
本発明は、貯留材の集合体同士を接続することなく配置し、新たな貯留空間とし、前記新たな貯留空間を一体的にシートで包んだ貯留施設とした。そのため、貯留施設を築造するに必要なだけ貯留材を接続するときに発生する歪量が許容範囲を超える場合であっても、個々の集合体を形成するときに発生する歪量は許容範囲内に収めることができる。従って大規模な貯留施設の築造が可能となる。
【図面の簡単な説明】
【０００７】
【図１】は、本発明の貯留施設の概念図である。
【図２】は、貯留材の接続方法を示す概念図１である。
【図３】は、貯留材の接続方法を示す概念図２である。
【図４】は、従来の貯留施設の概念図である。
【図５】は、貯留材の例を示す。
【発明を実施するための形態】
【０００８】
以下、本発明を図により詳細に説明する。
図４に示す従来の貯留施設では、地下に貯留材を継手を用いて左右に接続して貯留材の集合体を形成し貯留空間を形成する。この貯留空間をシートで包むことで貯留施設とする。集合体の数は１個であり、おのずから貯留材の数は歪量が許容範囲内に収まるよう制限される。
本発明の貯留施設は、図1に示す通り、歪量が許容範囲内に留まるよう貯留材の接続数を制限された集合体を形成し、この集合体同士を接続することなく配置して貯留空間とし、この貯留空間を一体的にシートで包んで形成される。貯留材の集合体はそれ自体が単独で貯留空間となりうるため、この集合体を近接して配置一体化することになんら問題が生じることはない。
【０００９】
本発明に使用する貯留材のうち、平盤に脚部の設けられたもの（以下テーブル状貯留材という。図５ａ）および縁のある容器内に円錐状の筒が設けられたもの（以下容器状貯留材という。図５ｂ）を例にして説明する。
【００１０】
テーブル状貯留材においては、互いの脚部を対向する状態で配置しそれをユニット（図２ａ）としてこのユニットを上下左右に配列するのが普通である。上下方向は歪が蓄積するまで積上げることは一般的にない。大規模槽の築造には左右方向にユニットを多数配置することでその貯留量を確保する。具体的にはテーブル状貯留材の平盤部同士を突き合せ、平盤に設けたメス穴部に平板に凸部を設けたオス継手（図２ｂ）の凸部を挿入することで接続させる（図２ｃ）。かかる接続方法のため、多数の平盤を接続すると歪が蓄積し、次第にオス継手がメス継手に挿入することが不可能となる。なお、集合体の頂部の貯留材の接続に使用する継手は図２ｂに示す継手で凸部が片方にのみ存在する継手を使用する。図ではテーブル状部材の平盤部の角部を継手で接続しているが、平盤部の縁部を継手で接続することを併用することもできる。
【００１１】
容器状貯留材においては、互いの容器の縁部を対向する状態で配置しそれをユニット（図３ａ）として上下左右に配列する。上下方向は歪が蓄積するまで積上げることは一般的にないのは上記テーブル状部材と同じである。大規模槽の築造には左右方向にユニットを多数配置することでその貯留量を確保する。具体的には容器状貯留材の縁部同士を突き合せ、縁部に設けたメス穴部に平板に凸部を設けたオス継手（図３ｂ）の凸部を挿入することで接続させる（図３ｃ）。かかる接続方法のため、多数の縁部を接続すると歪が蓄積し、オス継手がメス継手に挿入することが不可能となるのも同じである。なお、図示していないが、容器状貯留材の容器底部間を接続する継手も使用することができる。最上部の継手の形状も上記テーブル状貯留材と同様片面にのみ凸部が存在することは同様である。
【００１２】
本発明では、貯留材を継手で持って接続して得られる貯留体の集合体の歪量が貯留施設を築造するに問題とならない許容範囲内に押さえる。この集合体を左右に配置して全部の集合体を一体的にシートで包み目的とする貯留施設とする。
シートは浸透が可能な場所に築造する場合は透水シートを用い、浸透させると問題のある場所に築造する場合は遮水シートを用いることは従来の貯留施設と同じである。また必要に応じ本貯留施設に泥だめ枡、導入管、溢流管、排出管、オリフィス枡等の付帯設備を設けることも従来と同じである。
【産業上の利用可能性】
【００１３】
大量の水、例えば雨水、汚染水などの貯留に使用される。
【符号の説明】
【００１４】
１  貯留空間
２  集合体
３  貯留材
【図４】
2015089996.tif 000003
【図１】
2015089996.tif 000004
【図２】
2015089996.tif 000005
【図３】
2015089996.tif 000006
【図５】
2015089996.tif 000007
(57)【要約】【課題】  ペットの転がる糞を、手早く処理するスコップを提供する。【解決手段】  スコップの土など物をすくい乗せる部分（以下、掬い面と呼ぶ）を分割し、その掬い面同士を開閉させ、物を挟んですくい乗せる機能を特徴とする。  本発明は、以上の構成よりなるスコップである。【選択図】図２
2015089370.tif 000002
【特許請求の範囲】
【請求項１】
掬い面が、２以上の別個の掬い面から構成されていることを特徴とするスコップ。
【請求項２】
前記２以上の掬い面を開閉し、物を挟んで、すくい乗せる機能を特徴とする請求項１記載のスコップ。
【発明の詳細な説明】
【技術分野】
【０００１】
本発明は、ペットの排泄物等の処理用スコップに関するものである。
【背景技術】
【０００２】
従来から、ペットの糞などの処理には、いろいろな道具が考え出され使用されている（特許文献１、特許文献２参照）。
【先行技術文献】
【特許文献】
【０００３】
【特許文献１】特許公開  ２００３−２３５３８７号公報
【特許文献２】特許公開  ２０１２−１９６９６号公報
【発明の概要】
【発明が解決しようとする課題】
【０００４】
ペットの散歩には糞を処理するため、スコップなどが必需品である。そのため従来からペットの糞処理の道具はいろいろ考えられてきた。しかしながら、大きなものや複雑な構造のものは、持ち歩くには不向きであったり、使い勝手が悪かったりする場合がある。そういうこともあってか、実際のペットの散歩にはシンプルなスコップを持ち歩いている人をよく見かける。
しかし、スコップにも欠点はある。例えばコロコロ転がる糞をすくい取る場合である。それは意外と難しく、すくおうとすると転がって動き、なかなかスコップに乗せれない。急いでいる時などにはイライラしてしまう作業である。
本発明は、以上のような従来のスコップの欠点をなくすためになされたものである。
【課題を解決するための手段】
【０００５】
本発明は、従来のシンプルなスコップに工夫を加えたものである。
スコップの土など物をすくい乗せる部分（以下、掬い面と呼ぶ）を分割し、その２つ以上の掬い面同士で物を挟んですくい乗せる機能を持たせる。
本発明は、以上の構成よりなるスコップである。
【発明の効果】
【０００６】
本発明は、スコップの従来の機能、つまり、掬い面の先端部や両側を使い土を掘り、土をすくい乗せるということに加えて、分割した掬い面どうしを開閉し、土を挟んですくい乗せるという機能を追加する。
これにより、転がるものを押さえつつ、すくい取ることができるので、コロコロ転がる糞も両側から挟み上げて、速やかに処理することができる。
従来のスコップに一工夫したものなので、ペットの糞を取る作業は、従来どおりスコップを持つ片手で行うことができ、普段の散歩スタイルを保ちつつ、今まで以上に素早く処理することができる。
【図面の簡単な説明】
【０００７】
【図１】図１は一般的な従来のスコップの斜視図であり、また、本発明の掬い面が閉じた状態のスコップの斜視図でもある。（実施例１）
【図２】図２は本発明の掬い面が開閉するハサミ形スコップの斜視図である。（実施例２）
【図３】図３は本発明の掬い面が開閉するトング形スコップの斜視図である。（実施例３）
【図４】図４は本発明の掬い面が開閉するレバー式スコップの斜視図である。（実施例４）
【発明を実施するための形態】
【０００８】
以下、本発明を実施するための形態について説明する。
掬い面で物を挟んで、すくい乗せるために従来の掬い面を２つに分割する。
掬い面の分割の仕方によっては、掬い面の開閉方法はいろいろあるが、支点・力点・作用点を利用し開閉を行う。
この様に物を挟んですくい乗せるという新たな機能を追加したスコップは、ハサミ形、トング形など考えられる。
【実施例】
【０００９】
図１は、実施例１の斜視図であって、従来のスコップの従来の掬い面（１）と柄（２）を表した図である。また、本発明の掬い面AB（Ａ、Ｂ）が閉じた状態のスコップを表した図でもある。
【００１０】
図２は、本発明の実施例２の斜視図であって、従来の掬い面（１）と柄（２）を掬い面A（Ａ）、柄b（ｂ）と掬い面B（Ｂ）、柄a（ａ）の２つに分割し、ハサミの様な仕組みで掬い面ABを開閉させる機能を表した図である。
【００１１】
図３は、本発明の実施例３の斜視図であって、従来の掬い面（１）と柄（２）を掬い面A（Ａ）、柄a（ａ）と掬い面B（Ｂ）、柄b（ｂ）の２つに分割し、トングの様な仕組みで掬い面ABを開閉させる機能を表した図である。
【００１２】
図４は、本発明の実施例４の斜視図であって、従来の掬い面（１）を掬い面A（Ａ）と掬い面B（Ｂ）の２つに分割し、レバーを使い、掬い面ABを開閉させる機能を表した図である。
【産業上の利用可能性】
【００１３】
従来のスコップに新たな機能を付け便利にしたものであるから、ペットの糞を取る作業は、従来どおりスコップを持つ片手で行うことができ、今まで以上に素早く処理することができる。
スコップ本来の地面を掘り、土をすくうという機能も保ったまま、物を挟み取るという新たな機能を付け加えた。
ペットの糞処理を主な目的として考えたが、園芸などにもその利用範囲は広がる。
【符号の説明】
【００１４】
１    従来の掬い面
２    柄
３    バネ
４    レバー
Ａ    掬い面A
Ｂ    掬い面B
ａ    柄a
ｂ    柄b
【図１】
2015089370.tif 000003
【図２】
2015089370.tif 000004
【図３】
2015089370.tif 000005
【図４】
2015089370.tif 000006
(57)【要約】【課題】酒粕と水のみで、デザートとして食せるクリーム状酒粕を提供する。【解決手段】細分した酒粕と水を混合し、加熱により酒粕中のでんぷんを糊化させた後、ミキサーにかけクリーム状にし、冷却する。【特許請求の範囲】
【請求項１】
細分した酒粕に水を加え、撹拌しながら加熱した後、熱のある内にミキサーにかけ、クリーム状に加工する方法。
【発明の詳細な説明】
【技術分野】
【０００１】本発明は、酒粕を加熱した後、ミキサーにかける加工をすることにより、酒粕をクリーム状にする方法に関するものである。
【背景技術】
【０００２】従来、酒粕は酒粕そのものを食す場合、粕汁や酒粕鍋として食す以外に、加糖して甘酒として食す方法か、まんじゅう、羊羹、アイスクリーム、飴、ケーキ、カステラ、パイ、ムース等に酒粕を加え、酒粕の風味を添えて食す方法が知られている。
【発明の開示】
【発明が解決しようとする課題】
【０００３】酒粕は粕汁、酒粕鍋、甘酒として食す以外に、まとまった量の酒粕を食す方法が限られていた。
【発明の目的】
【０００４】この発明は、酒粕に水以外に何も加えずクリーム状にし、食感を良くして食べやすくすることで、年間を通してまとまった量の酒粕を継続的に食し、酒粕の人体への特効※１をより得ることを目的とする。
【課題を解決するための手段】
【０００５】細分した酒粕に水を加え、酒粕に含まれている米のでんぷんが糊化するまで撹拌しながら加熱する。さらに熱のある内にミキサーにかけクリーム状にした後、冷却する。
【発明の効果】
【０００６】酒粕をクリーム状にするため、ヨーグルトと同様に扱え、フルーツソース等を加えるとデザートとして常時食せる。
冷蔵保管する場合も、酒粕のアルコール分が残っているため、また麹カビの菌体、酵母が加熱により死滅しているため、変質、腐敗しにくくなっている。冷凍保管も可能で、基本的に冬期のみ産生される酒粕を一年を通して食すことが可能となる。冷凍により消費の期限も長くなり、流通もさせやすくなる。
以上、この方法により相当量の酒粕を一年を通して手軽に食すことが可能となり、生活習慣病を予防する酒粕の特効※２を手軽に享受できるようになる。
【発明を実施するための最良の形態】
【０００７】以下、本発明の実施の形態について説明する。
（イ）細分した酒粕１０００ｇに水９００ｇを入れ混合し、撹拌しながら６５℃〜７０℃まで加熱し、酒粕中の米のでんぷんを糊化させる。
（ロ）すぐに（イ）をミキサーにかけ、クリーム状にした後、冷却する。
本発明は以上の構成よりなっている。
※１、※２
「酒粕の凄い特効」滝澤行雄監修  株式会社宙出版  参照
(57)【要約】      （修正有）【課題】機能性と意匠性を兼ね備えた係止スタンドを提供する。【解決手段】四辺を有するフレーム１の自立する二辺に橋状にベース４を係止し、ベース４に係止具を係止する。【選択図】図４
2015089502.tif 000002
【特許請求の範囲】
【請求項１】
四辺を有するパイプから成るフレームにおいて、２辺のなす角度がそれぞれ６０度の角度であり、頂点を結ぶと正四面体を形成し、板状体において、複数の係止穴を設け、両端に、断面略Ｕ字形の係合部を設けベースとし、前記フレームの自立する二辺に橋状に係止し、棒状体において、係止する物品形状に合わせ屈曲成形しラックとし、端部は略Ｚ字型に屈曲成形しフック部とし、前記ベースの係止穴に挿入係止することを特徴とする係止スタンド。
【請求項２】
前記ベースにおいて、下端部を断面略コの字形に屈曲成形しラック部を設けることを特徴とする請求項１記載の係止スタンド。
【請求項３】
四本のパイプをそれぞれ中央より６０度の角度で屈曲成形し、それぞれをジョイントを介し接続することにより、フレームを形成することを特徴とする請求項１又は請求項２記載の係止スタンド。
【請求項４】
ラックの交換が出来る請求項１又は請求項３記載のの係止スタンド。
【発明の詳細な説明】
【技術分野】
【０００１】  本発明は、機能性と意匠性を兼ね備えた係止スタンドに関するものである。
【背景技術】
【０００２】  従来の係止スタンドは、機能性を重視した物が多く、意匠性を考慮した物は少ない。
【発明の概要】
【発明が解決しようとする課題】
【０００３】  そのために、次のような問題点があった。
目的の機能を果たしている場合はよいが、果たしていない場合は単なる物体としか認識されない。
本発明は、以上の問題点を解決するために考案されたものである。
【課題を解決するための手段】
【０００４】  それぞれの頂点を結ぶと正四面体を形成する四辺を有するフレームにおいて、自立する二辺に係止部材を装着する。
以上の構成から成る係止スタンド。
【発明の効果】
【０００５】  本発明を使用することによって、機能性と意匠性を有する事により、機能を果たさない場合でもインテリアの装飾品として常設できる。また分割構造を取る事で梱包する際、容量が少なくて済む。
【図面の簡単な説明】
【０００６】
【図１】  本発明の平面図
【図２】  本発明の正面図
【図３】  本発明の側面図
【図４】  本発明の斜視図
【図５】  本発明を別方向から見た斜視図
【図６】  本発明のフレームの接続部を説明する斜視図
【図７】  本発明の使用状態を示す斜視図
【図８】  本発明の他の使用状態を示す斜視図
【図９】  本発明の他の実施例を示す斜視図
【発明を実施するための形態】
【０００７】  以下、本発明の実施の形態を説明する。
（イ）４辺を有する金属パイプから成るフレーム（１）において、２辺なす角度がそれぞれ６０度の角度であり、頂点を結ぶと正四面体を形成する。
（ロ）前記フレーム（１）は４個のフレームパーツ（２）から成り、ジョイント（３）を介し構成される。
（ハ）金属製の板状体において複数の係止穴（５）を設け、両端を断面略Ｕ字形の係合部（６）を設けベース（４）とし、前記フレーム（１）の自立する二辺に橋状に係止しする。
（ニ）金属製の棒状体を係止する物品形状に合わせ屈曲成形しラック（７）とし、端部は略Ｚ字型に屈曲成形しフック部（８）とし、ベース（４）の係止穴（５）に挿入係止する。
本発明は以上の構造である。
本発明を使用するときは、係止する物品の形状にあったラック（７）を選択しラック（７）のフック部（８）をベース（４）の係止穴（５）に挿入係止する。図７はタブレット（１０）を係止した状態を示す斜視図であり、図８は鍋蓋（１１）を係止した状態を示す斜視図である。また図９は、ラック（７）を省略しベース（４）にラック部（９）を設けた物である。尚、本発明は金属で形成される事が好ましいが、樹脂で形成されても良い。
【符号の簡単な説明】
【０００８】１  フレーム、２  フレームパーツ、３  ジョイント、４  ベース、５  係止穴、
６  係合部、７  ラック、８  フック部、９  ラック部、１０  タブレット、１１  鍋蓋
【図１】
2015089502.tif 000003
【図２】
2015089502.tif 000004
【図３】
2015089502.tif 000005
【図４】
2015089502.tif 000006
【図５】
2015089502.tif 000007
【図６】
2015089502.tif 000008
【図７】
2015089502.tif 000009
【図８】
2015089502.tif 000010
【図９】
2015089502.tif 000011
(57)【要約】      （修正有）【課題】従来はイビキをかかないように、横になって眠っていても、いつのまにか寝返りをして、上を向いて寝てしまい、イビキをかいてしまっていた。どのように寝ようとも、自然に頭が横向きになり、イビキをかかないイビキ防止用の補助マクラを提供する。【解決手段】三角柱の山形をした突起物１を睡眠前に後頭部に取り付けることで、上を向いて寝るとアンバランスになり、常に横を向いて眠ることになり、イビキを防止する効果が発揮できる。【選択図】図１
2015089506.tif 000002
【特許請求の範囲】
【請求項１】
三角柱の平面部を後頭部に取り付けるようにしたイビキ防止用の補助マクラである。
睡眠時にこの補助マクラを取り付けることにより、上を向いて眠ると頭が不安定となり、常に横を向いて眠るようにしたものである。
【発明の詳細な説明】
【発明の分野】
【０００１】本発明は睡眠時に三角柱の山形をした突起物を、頭の後ろに取り付けることにより常に、頭が横を向くようにしたものである。
【背景技術】
【０００２】従来、イビキを防止するには、横を向いて寝ると良いとされていたが、寝ている本人が無意識に寝返りをうち、上を向いてしまいイビキをかいていた。
【発明の開示】
【発明が解決しようとする課題】
【０００３】どのように寝ようとも、頭の後ろに取り付けた三角柱の山形の突起物により、自然に頭が横向きになり、イビキをかかないようにしたものである。
【課題を解決するための手段】
【０００４】本発明は頭の後ろに三角柱の山形をした突起物を締め付けることにより、睡眠時に上を向いて寝ても重力で自然に頭が横を向くようにしたものである。尚、下に敷く本マクラがあまり柔らかいものでは効果が薄れるので、有る程度の固さのあるものを用いる必要がある。
【本発明の効果】
【０００５】本発明の三角柱の山形をした突起物を睡眠前に頭に取り付けることにより、常に、右か左かの横を向いて眠ることになり、イビキを防止する効果が出る。
【図面の簡単な説明】
【０００６】
【図１】本発明の図面
【発明を実施するための形態】
【０００７】以下、本発明の実施形態を説明する。
三角柱の突起物▲１▼の平面部をバンド▲２▼に固定し、バンドの先端にファスナーテープ▲３▼を取り付ける。
使用方法は、三角柱の突起物▲１▼が後頭部に来るようにバンド▲２▼を巻き付け、額のところでファスナーテープ▲３▼にて締め付ける。
【符号の説明】
【０００８】１  三角柱の山形をした突起物
２  バンド
３  ファスナーテープ
【図１】
2015089506.tif 000003
(57)【要約】【課題】就寝時、足元に湯たんぽを置いても湯たんぽは水平状態であるため、踵部分しか湯たんぽと接触せず、特に冷える爪先部分を含めた足裏全体は温まらなかった。  本発明は、爪先部分を含めた足裏全体を温める自立式湯たんぽを提供する。【解決手段】湯たんぽ本体の足裏が接触しない面に、自在に曲がるついたて棒を設け、湯たんぽ本体の足裏が接触する面に、着脱可能である片方が袋綴じになっているカバーを設けた自立式湯たんぽ。【選択図】図１
2015089501.tif 000002
【特許請求の範囲】
【請求項１】
湯たんぽ本体の足裏が接触しない面に、自在に曲がるついたて棒を設け、湯たんぽ本体の足裏が接触する面に、湯たんぽの表面を覆う面と爪先を収納する袋綴じ部分とからなるカバーを着脱可能に設けた自立式湯たんぽ。
【発明の詳細な説明】
【技術分野】
【０００１】  本発明は、就寝時に足元を温める自立式湯たんぽに関するものである。
【背景技術】
【０００２】  従来、就寝時は湯たんぽを足元に平置きして使用していた。
なお、湯たんぽ本体の形状を変え足裏全体を温める湯たんぽが知られている。（特許文献１参照）
【先行技術文献】
【特許文献】
【０００３】
【特許文献１】特許公開２００５−１４３９８７
【発明の概要】
【発明が解決しようとする課題】
【０００４】  就寝時、足元に湯たんぽを置いても湯たんぽは水平状態であるため、踵部分しか湯たんぽと接触せず、特に冷える爪先部分を含めた足裏全体は温まらなかった。
本発明は、以上の問題点を解決するためになされたものである。
【課題を解決するための手段】
【０００５】  湯たんぽ本体の足裏が接触しない面に、自在に曲がるついたて棒を設ける。
湯たんぽ本体の足裏が接触する面に、着脱可能である上半分が袋綴じになっている布製カバーを設ける。
以上の構成よりなる自立式湯たんぽ。
【発明の効果】
【０００６】  従来、踵部分しか温められなかった湯たんぽを、本発明により踵から爪先まで足裏全体を温められる。特に冷える爪先部分は、布製カバーの袋綴じ部分に爪先を挿入する事により温暖効果が得られ、冷え性対策になる。自在に曲がるついたて棒により、使用者の好みの角度で湯たんぽを自立させられる。
【図面の簡単な説明】
【０００７】
【図１】本発明の使用状態を示す斜視図
【図２】本発明の使用状態を示す側面図
【図３】本発明の斜視図
【図４】本発明の斜視図
【発明を実施するための形態】
【０００８】  以下、本発明の実施の形態を説明する。
（イ）湯たんぽ本体（１）の足裏が接触しない面（以下、裏面という）中央に自在に曲がるついたて棒（２）を設ける。ついたて棒（２）の端部は湯たんぽ本体（１）中央部で回動自在に設けられている。ついたて棒（２）の他端には自立しやすいよう両側に延伸部を設ける。また、ついたて棒は収納時、湯たんぽ裏面に設けた収納部に収納され、ついたて棒が湯たんぽ裏面より外側に突出しないような構造となっている。
（ロ）湯たんぽ本体（１）の足裏が接触する面（以下、表面という）に面ファスナー（３）を設ける。
（ハ）カバー（４）は湯たんぽの表面を覆う面と爪先を収納する袋綴じ部分とからなる。カバー裏面には、湯たんぽ本体（１）表面に設けた面ファスナー（３）と係り合う面ファスナー（５）を設ける。カバー（４）は布製とする。
本発明は以上のような構造である。
【０００９】  本発明を使用するときは、湯たんぽ本体（１）裏面のついたて棒（２）を好みの角度に曲げ、湯たんぽ本体（１）を自立させる。
湯たんぽ本体（１）表面の面ファスナー（３）にカバー（４）の面ファスナー（５）を接着し、足先（６）の爪先をカバー（４）の袋綴じ部分に挿入する。
足先（６）の爪先部分は特に冷えるため、カバー（４）の袋綴じ部分に挿入する事により、一層の温暖効果が得られ冷え性対策にもなる。
【符号の説明】
【００１０】  １  湯たんぽ本体、２  ついたて棒、３  面ファスナー、４  カバー、
５  面ファスナー、６  足先
【図１】
2015089501.tif 000003
【図２】
2015089501.tif 000004
【図３】
2015089501.tif 000005
【図４】
2015089501.tif 000006